(57)【要約】【課題】端末の登録操作において、マスタ端末から他の端末の情報も同時に交換機側に登録できるようにして操作者の利便性を向上させた構内交換機を提供することを目的とする。【解決手段】構内交換機１は、「起動通知」メッセージ中の端末毎の情報を取り出し、端末の登録データとして、運用データ１０５に設定を行う。次に、運用管理部１０１は、登録が終了した旨を、マスタ端末宛てに送信する。マスタ端末では、運用データから、固有情報を収集した他の端末のＩＰアドレス情報を取り出し、登録が終了した旨の「登録終了通知」メッセージを送信する。【選択図】図１
2006005519.tif 000002
【特許請求の範囲】
【請求項１】
ＩＰネットワークを介して内線接続する端末を有し、それらの端末を使用可能とするための設定操作において、マスタ端末の設定を行った後、当該設定済みの端末から未設定の他の端末に対して交換機のＩＰアドレス等の設定情報を配信すると同時に、ＭＡＣアドレス等の各端末固有の識別情報を収集しておき、設定終了後のマスタ端末の交換機への登録操作において、他の端末の情報も同時にマスタ端末から登録できるようにすることで、端末毎に登録を行う場合に比べて、作業量を削減できることができるということを特徴とする構内交換機。
【請求項２】
請求項１の構成で、登録済みの端末に、登録時とは異なるＩＰアドレス等が設定された後、端末がシステムに接続した場合に、交換機側に登録済みのＭＡＣアドレス等の端末個体を識別できる情報が一致すれば、登録済み端末の設定内容が更新されたと判断し、自動的に登録済みデータを修正し、手動での更新操作を必要としないということを特徴とする請求項１記載の構内交換機。
【請求項３】
ＩＰネットワークを介してＩＰ内線端末を収容する構内交換機であって、
前記構内交換機は、前記ＩＰ内線端末の有するデータをメモリに書き込みまたは書き込まれたそれらのデータを読み出すデータ管理部と、運用制御と前記データ管理部の制御と前記ＩＰ内線端末との間のメッセージ送受信処理を行う運用管理部と、呼に関する制御を行う回線制御部と、前記ＩＰ内線端末との間で音声やデータの通信を制御するＩＰ通信制御部と、前記ＩＰ内線端末の登録データを含む運用データとを有し、
前記ＩＰ内線端末は、前記構内交換機への登録を行う運用管理部と、ＩＰネットワーク上の機器との通信の制御を行うＩＰ通信制御部と、前記ＩＰ内線端末自身の運用上必要なデータを管理するデータ管理部とを有し、
前記ＩＰ内線端末の前記運用管理部は、前記ＩＰ内線端末自身に固有のデータである固有情報と他のＩＰ内線端末に共用可能な共通情報とに分類して格納し、
予め構内交換機に登録するために必要なデータを設定して個別情報として登録した特定のＩＰ内線端末をマスタＩＰ内線端末として定め、
前記マスタＩＰ内線端末の前記運用管理部は前記共通情報を前記マスタＩＰ内線端末のＩＰアドレスとともにブロードキャスト送信する共通データ配信を行い、
他のＩＰ内線端末は前記共通データ配信を受信して前記共通情報から必要な情報を記憶し、前記構内交換機に登録するために必要な前記他のＩＰ内線端末の前記固有情報を前記マスタＩＰ内線端末に宛てて送信する端末情報通知を行い、
前記マスタＩＰ内線端末は前記端末情報通知を受信すると受信情報の中の前記固有情報と前記マスタＩＰ内線端末に設定された前記個別情報とを比較し、一致するデータがなければ新規のＩＰ内線端末の固有情報として登録し、一致するデータがあれば更新し、
前記構内交換機を前記ＩＰ内線端末の登録可能の状態とした後、前記マスタＩＰ内線端末から前記個別情報を含む前記固有情報を前記構内交換機へユニキャストで起動を送信する起動通知を行い、前記起動通知を受けた前記構内交換機は前記起動通知中の前記個別情報を前記構内交換機の前記運用データに更新し、
前記構内交換機の前記運用管理部は前記マスタＩＰ内線端末に宛てて起動通知応答を送信し、
前記マスタＩＰ内線端末は前記起動通知応答を受けて先に前記個別情報を収集した他のＩＰ内線端末へ宛てて登録終了を送信する登録終了通知を行い、併せて前記構内交換機へＩＰ内線端末が正常動作していることを送信する運用開始通知を行うことを特徴とする構内交換機。
【発明の詳細な説明】
【技術分野】
【０００１】
本発明は、ＩＰネットワーク（例えばＬＡＮ）に接続する内線端末を収容する構内交換機に関し、特にこの構内交換機に対してＩＰ内線端末を登録するための登録方式、及び登録済みのＩＰ内線端末の設定内容の更新方法に関するものである。
【背景技術】
【０００２】
近年、ＩＰネットワーク上のパケットベースのデータ通信プロトコルを利用した音声通信サービスが実用化され、従来の音声通信システムとの統合も進んできている。
【０００３】
このようなＩＰネットワーク上の音声通信に対応した構内交換機等のシステムにおいては、内線に収容されるＩＰ端末にはＩＰアドレスが付与され、そのアドレスを宛先としてサーバーとなる構内交換機とＩＰ上のメッセージの送受信を行う。従って、ＩＰ端末を内線として収容する構内交換機側では、ＩＰ端末との通信を行うために配下のＩＰ端末のＩＰアドレスその他の情報を取得し、保持する必要があり、そのためのＩＰ端末の登録操作が必要となる。
【０００４】
また、ＩＰ端末側では、ＩＰ端末自身のＩＰアドレス、接続する構内交換機のＩＰアドレス、その他の情報を設定することが必要となる。この場合、収容するＩＰ端末数が増えると、構内交換機側の前述の登録操作及びＩＰ端末毎の設定操作等の作業量が増えて操作者の負担が増えるばかりでなく、ＩＰネットワーク上の、ＩＰ端末と構内交換機間の通信量が増えてネットワークのトラフィックにかかる負荷が増大するという悪影響が考えられる。
【０００５】
そのため、従来の構内交換機システムでは、特定のＩＰ端末をマスタ端末として、そのＩＰ端末に対して行った設定の内容の内、各ＩＰ端末間で共用可能な情報を他のＩＰ端末に配信することにより、各ＩＰ端末毎に設定を行う場合に比べて効率をあげる仕組み（例えば、特許文献１参照）や、端末のＩＰアドレスの取得に関してはＤＨＣＰ（Dynamic Host Configuration Protocol）を用いて自動化を行い、さらに、ＤＨＣＰサーバーがネットワーク上に複数存在した場合に、サーバーとクライアントの端末間の通信によるネットワーク上のトラフィックを削減するための仕組み（例えば特許文献２参照）などが考えられている。また、ネットワーク上のトラフィックを削減することを目的として、ゲートキーパ制御装置を用いて端末装置の管理情報を記憶することも提案された（例えば、特許文献３参照）。
【特許文献１】特開２０００−２３２１３号公報
【特許文献２】特開２０００−５９３８７号公報
【特許文献３】特開２００３−１５２７６９号公報
【発明の開示】
【発明が解決しようとする課題】
【０００６】
従来のシステムでは、ＩＰ端末をサーバー（例えば構内交換機）に登録する場合、操作者はＩＰ端末毎に、サーバーのＩＰアドレス等の設定を行う必要があり、また交換機側でも、ＩＰ端末毎に登録のために操作を行う必要があり、ＩＰ端末数が増えると作業量が増えるという難点があった。
【０００７】
また、主にＩＰ端末と構内交換機等のサーバーとの間でやりとりされる情報量を削減する等、ネットワーク上のトラフィックを抑制することに重点がおかれている。従って、操作者がＩＰ端末を構内交換機側に登録するための操作に関する負荷を抑制するという点が
課題として残る。
【０００８】
さらに、上述のようなシステムにおいて、一旦設定及び登録を行ったＩＰ端末の設定を一部でも変更する場合、構内交換機側で再度登録を行う等の操作が必要になる等、操作者の負荷が増加するという課題がある。
【０００９】
このように、ＩＰ接続するＩＰ端末をシステムに登録しようとする際に、ＩＰ端末側の設定については、ＩＰアドレスをＤＨＣＰにより割り当てる等の自動化が一部可能であるが、構内交換機側へのＩＰ端末登録自体は、ＩＰ端末毎に操作を行う必要があり、そのため操作者の作業がＩＰ端末数に比例して増えるという問題がある。さらに、ＩＰ端末の設定を一部変更した場合などに、構内交換機側での再登録などの設定変更操作が必要となり、そのたび毎に作業が発生することとなる。
【課題を解決するための手段】
【００１０】
本発明は、ＩＰネットワーク（例えばＬＡＮ）を介して内線接続するＩＰ内線端末を使用するための設定操作において、ＩＰ内線端末群の中の特定の一台（マスタ端末）の設定を行った後、当該設定済みのＩＰ内線端末から未設定の他のＩＰ内線端末に対して構内交換機のＩＰアドレス等の設定情報を配信する手段を有し、また配信と同時に、ＭＡＣアドレス等の各ＩＰ内線端末固有の識別情報を収集する手段を備えて、設定終了後のマスタ端末の構内交換機への登録操作において、他のＩＰ内線端末の情報も同時にマスタ端末から登録できるようにすることを主要な特徴とする。
【発明の効果】
【００１１】
本発明の構内交換機は、ＩＰ内線端末毎に登録を行う場合に比べて、作業量を削減できることができる、という利点がある。さらに、ＩＰ内線端末を構内交換機に登録する際の操作及び登録済みＩＰ内線端末の設定変更に伴う操作を簡便にし、操作者の負荷を削減することができる、という利点がある。
【発明を実施するための最良の形態】
【００１２】
本発明は、操作者の作業を削減し、利便性の高い構内交換機システムを提供するという目的を、マスタとなるＩＰ内線端末に他のＩＰ内線端末の情報を集めることによって構内交換機側への一括登録を可能とし、また、ＩＰ内線端末固有の設定の変更時には構内交換機側の登録データの自動的な更新を行うことにより実現した。
【００１３】
上記課題を解決するためになされた第１の発明は、ＩＰネットワークを介して内線接続する端末を有し、それらの端末を使用可能とするための設定操作において、マスタ端末の設定を行った後、当該設定済みの端末から未設定の他の端末に対して交換機のＩＰアドレス等の設定情報を配信すると同時に、ＭＡＣアドレス等の各端末固有の識別情報を収集しておき、設定終了後のマスタ端末の交換機への登録操作において、他の端末の情報も同時にマスタ端末から登録できるようにすることを特徴とする構内交換機であり、端末毎に登録を行う場合に比べて、作業量を削減できることができるという効果を有するものである。
【００１４】
上記課題を解決するためになされた第２の発明は、第１の発明の構成で、登録済みの端末に、登録時とは異なるＩＰアドレス等が設定された後、端末がシステムに接続した場合に、交換機側に登録済みのＭＡＣアドレス等の端末個体を識別できる情報が一致すれば、登録済み端末の設定内容が更新されたと判断し、自動的に登録済みデータを修正するようにしたものであり、手動での更新操作を必要としないという特徴を有するものである。
【００１５】
追加請求項が認められた時に追加の発明として説明。
【００１６】
（実施の形態１）
以下、本発明の実施の形態について、各図に基づいて説明する。図１は、本発明の実施の形態１における構内交換機のブロック図である。図１において、１は構内交換機、２はＩＰ内線端末、３はＬＡＮを示す。なお、ＬＡＮ３は本発明におけるＩＰネットワークに相当し、ＩＰ（Internet Protocol）通信環境を満たすネットワークであるものとする。以下、簡単のためＬＡＮ（local Area Network）と略称する。
【００１７】
図１における構内交換機１は、次のように構成される。１０１は運用管理部であって、システムの起動とその他全般的な運用制御及びＩＰ内線端末の登録処理においてデータ管理部の制御と、ＩＰ内線端末宛のメッセージ送信の指示及びＩＰ内線端末からの受信メッセージの処理などを行う。１０２は呼に関する制御を行う回線制御部である。１０３はＩＰ通信制御部であって、ＬＡＮ３を介して音声やデータのＩＰ内線端末との通信を制御する。１０４はデータ管理部であって、ＩＰ内線端末２の登録データ（ＭＡＣアドレス，ＩＰアドレス他）やその他の運用データをメモリ上に書き込み、または、書き込まれたそれらのデータを読み出す処理を行う。そして１０５はＩＰ内線端末２の登録データを含む運用データである。
【００１８】
図２は、図１のＩＰ内線端末のブロック図であって、構内交換機１にＬＡＮ３を介して接続するＩＰ内線端末２の構成を示す。ＩＰ内線端末２の中で、それぞれＬＣＤ等の表示手段２０１、及びキー等の入力手段２０２である。また、２０３はユーザーＩ／Ｆ制御部であって、表示手段２０１への文字列の表示及び入力手段２０２から入力されたキーデータを内部で取り扱うコードに変換する等の制御を行う。２０４は運用管理部であって、構内交換機１の運用管理部１０１と同様に、ＩＰ内線端末登録やその他全般的な運用制御を行う。２０５は呼に関する制御を行う回線制御部、２０６はＩＰ通信制御部であって、構内交換機１やＤＨＣＰサーバーなどのＬＡＮ３上の機器との通信の制御を行う。２０７はデータ管理部であって、ＩＰ内線端末２自身のＩＰアドレスや、接続する構内交換機１のＩＰアドレス，ＭＡＣアドレス，ＩＰアドレスの取得方法等のＩＰ内線端末２の運用上必要となるデータを管理する。そして２０８は運用データ、そのデータ本体である。
【００１９】
図３は、図１のマスタ端末とＩＰ内線端末との間のデータ交換のフローチャートである。また図４は、図１のマスタ端末の登録処理のフローチャートである。以下に、本発明の構内交換機１によって構成される構内交換機システムにおいて、ＩＰ内線端末２の登録操作を行う際の具体的な動作について、図３，図４のフローチャートを元に説明する。
【００２０】
まず、マスタ端末と他の端末との間のデータの相互交換について図３のフローチャートを元に説明を行う。なおここでは、マスタ端末を含む複数のＩＰ内線端末２がＬＡＮ３上に接続されており、且つ構内交換機１側には未登録の状態であるものとする。
【００２１】
ステップ３−１では、操作者が、まずマスタとするＩＰ内線端末２を選択し、これを構内交換機１に登録するために必要なデータとして、そのＩＰ内線端末２に割り当てるＩＰアドレスや、構内交換機１側のＩＰアドレス，デフォルトゲートウェイＩＰアドレス等のデータをキー入力等の入力手段２０２により選択したＩＰ内線端末２に設定を行う。ＩＰアドレスは、ＬＡＮ３上のＤＨＣＰサーバーから取得するという設定も可能である。
【００２２】
入力手段２０２により設定されたデータは表示手段２０１に文字列として表示され、操作者が目視で確認することができる。入力されたデータは、データ管理部２０７により、図５のように運用データ２０８に格納される（ステップ３−２）。図５は、図２の運用データ中の記録フォーマットの例を示す図である。これらの設定されたデータは、図５の網掛け部分で示す、サーバーＩＰアドレス等のＩＰ内線端末２間で同じ値を保持する共通情
報と、ＩＰ内線端末２毎に値が異なる個別情報とに分類される。
【００２３】
次に、運用管理部２０４は、ステップ３−１で入力されたデータの内、自分自身のＩＰアドレス等、ＩＰ内線端末２毎に固有のデータを除く、ＩＰ内線端末２間で共用できる上述の共通情報（構内交換機１のＩＰアドレス等）を選択する（ステップ３−３）。ＬＡＮ３上にある他のＩＰ内線端末２に共通情報を配信する。図６は、共通データ配信メッセージのフォーマットの例を示す図である。配信のため、図６に示すような共通情報を設定した特定のフォーマットの「共通データ配信」メッセージを作成し、ＬＡＮ３上の他のＩＰ内線端末２に送信する。しかしその際、この時点では他のＩＰ内線端末２のＩＰアドレスが不明であるため、ＩＰパケットの宛先アドレスにブロードキャスト用のアドレスを設定し、ＩＰ通信制御部２０６を通じて、ネットワーク上にブロードキャスト送信を行う（ステップ３−４）。配信するデータには、他のＩＰ内線端末２から返信を行う場合のために、マスタ端末のＩＰアドレスも設定しておく。
【００２４】
マスタ端末以外のＩＰ内線端末２では、ＩＰ通信制御部２０６がＬＡＮ３上を流れるデータパケットを監視している。監視する内容は、ブロードキャストされたパケットを受信して、データの内容を解析する。解析したメッセージの種別を示すヘッダ情報から、マスタ端末が送信した「共通データ配信」メッセージと判定されたら（ステップ３−５）、運用管理部２０４にメッセージ受信を通知する。
【００２５】
さらに、運用管理部２０４はデータ管理部２０７を介して、現在の設定状況を判断する（ステップ３−６）。図７は、図２の運用データにおける共通情報の初期状態の例を示す図である。ホストとなる構内交換機１に関する情報は図７のように初期値が設定されている。未設定と判断した場合には、受信したメッセージから、必要なデータのコピーを行う（ステップ３−７）。
【００２６】
図８は、図２の運用データにおける共通情報にマスタ端末からの情報設定を示す図である。コピーを行った結果、図８のように、共通情報部分については、マスタ端末と同様の情報を持つこととなる。また、マスタ端末のＩＰアドレスは以降の動作で必要となるため、運用データ２０８中に記録しておく。図８のように、共通情報に有意なデータが設定されており、既に設定済みと判断された場合には、受信したメッセージを破棄する（ステップ３−８）。
【００２７】
ステップ３−７でデータを設定した場合は、ＩＰ内線端末２毎に保持しているデータの内、ＭＡＣアドレス及びＩＰアドレスなどＩＰ内線端末２に固有で、構内交換機１側への登録時に必要となるＩＰ内線端末２に個別の情報を、図９のような特定のフォーマットの「端末情報通知」メッセージに設定する。図９は、端末情報通知メッセージのフォーマットの例を示す図である。「端末情報通知」メッセージは先にマスタ端末から受信して運用データ２０８中に記録したマスタ端末のＩＰアドレスを読み出して宛先に設定し、ＩＰ通信制御部２０６を通じてマスタ端末へ宛てて送信する（ステップ３−９）。なお、ＭＡＣアドレスは、端末固有の情報であり、製造時にＩＰ内線端末２内の不揮発性のメモリ上に記録されている。
【００２８】
図１０は、マスタ端末が持つ、ＩＰ内線端末毎の個別情報を登録するテーブルのフォーマット例を示す図である。マスタ端末では、図１０のようにＩＰ内線端末２毎の個別情報を記録するためのテーブルを運用データ２０８内に持っており、初期状態では未設定であることが分かるような初期値が設定されている。図１０中の網掛け部分が初期状態のイメージである。
【００２９】
マスタ端末においても、ＩＰ通信制御部２０６がＬＡＮ３からのデータ受信を待ち受け
ている。そこでマスタ端末が「端末情報通知」メッセージを受信すると（ステップ３−１０）、データ管理部２０７は、受信したデータの中に設定されている、送り元の端末のＭＡＣアドレスと、運用データ２０８中の個別情報を登録するテーブルに記録されている設定済みのＩＰ内線端末２毎データとのＭＡＣアドレス部を順次比較して、前述のテーブル中に一致するデータを検索する。一致データがなければ、新規の他のＩＰ内線端末２の固有データとして、ＩＰ内線端末２毎に記憶する（ステップ３−１１）。ＭＡＣアドレス部が一致するデータが既に前述のテーブル中に存在する場合には、ＩＰ内線端末２毎データの設定が更新されたものと判断して、ＭＡＣアドレス以外のデータについては、既存のデータの上書きを行う。
【００３０】
次に、上記手順にてデータの配信及び他端末からのデータ収集を行ったマスタ端末を構内交換機側に登録する処理について、図４のフローチャートに基づいて説明する。ステップ４−１では、操作者が、構内交換機１側に接続された保守用端末（例えば保守専用コンピュ−タなどであり、図示を省略）等からの操作を行い、構内交換機１がＩＰ内線端末２を登録可能の動作状態とする。この時点で、構内交換機１側は、ＩＰ内線端末２からのメッセージを待つ接続待ちの状態となる。
【００３１】
次に操作者は、マスタ端末にて、入力手段２０２によるキー入力を行い、設定されている構内交換機１宛てに起動した旨の「起動通知」メッセージを送信する処理を起動する（ステップ４−２）。キー入力を受けると、運用管理部２０４は、起動通知メッセージの送信処理を行うため、データ管理部２０７に、メッセージデータ作成の指示を行う（ステップ４−３）。
【００３２】
データ管理部２０７は、運用管理部２０４からの指示に従い、図１０のようなＩＰ内線端末２毎の個別情報を登録したテーブルから自分自身の固有情報（ＭＡＣアドレス、ＩＰアドレス等）及び、先に収集した他のＩＰ内線端末２の固有情報を読み出して、図１１のような「起動通知」メッセージを作成する（ステップ４−４）。図１１は、「起動通知」メッセージのフォーマット例を示す図である。
【００３３】
メッセージデータ作成が終わると、データ管理部２０７は、「起動通知」メッセージを構内交換機１宛てに送信すべく、ＩＰ通信制御部２０６に指示を行う。ＩＰ通信制御部は、「起動通知」メッセージを構内交換機１のＩＰアドレスに宛ててユニキャスト送信する（ステップ４−５）。
【００３４】
構内交換機１側では、ＩＰ内線端末２の登録データを、マスタ端末が保持しているのと同様に図１０のような形で（テーブルのフォーマットで）保持している。ＩＰ通信制御部１０３は、ＩＰ内線端末２の場合と同様にＩＰネットワークからのパケット受信を待ち受けており、「起動通知」メッセージを受信すると（ステップ４−６）、運用管理部１０１はそのメッセージから各ＩＰ内線端末２毎の個別情報を取り出し、データ管理部１０４を通じて、ＩＰ内線端末２の登録データとして、運用データ１０５中のテーブルにＩＰ内線端末２毎の個別情報としてコピーする（ステップ４−７）。これにより、構内交換機１にネットワーク上に各ＩＰ内線端末２の個別情報が記録されたこととなり、ＩＰ内線端末２の登録が完了したと見なされる。
【００３５】
次に、運用管理部１０１は、登録が終了した旨を、「起動通知」メッセージへの応答という形で、ＩＰ通信制御部１０３を通じて、「起動通知」メッセージの送り元であるマスタ端末のＩＰアドレス宛てにユニキャスト送信する（ステップ４−８）。
【００３６】
マスタ端末では、ＩＰ通信制御部２０６で「起動通知」応答メッセージを受信すると、運用管理部２０４にその旨を通知する（ステップ４−９）。運用管理部２０４は、データ
管理部２０７に指示を行い、運用データ２０８から、先に個別情報を収集した他のＩＰ内線端末２のＩＰアドレス情報を読み出し、登録が終了した旨の「登録終了通知」メッセージを、各ＩＰ内線端末２に向けてそれぞれユニキャスト送信する（ステップ４−１０）。
【００３７】
マスタ端末ではその後、マスタ端末以外のＩＰ内線端末２ではマスタ端末からの「登録終了通知」メッセージ受信後、構内交換機１のＩＰアドレスに対して、ＩＰ内線端末２が正常に動作していることを示すための「運用開始通知」メッセージをユニキャスト送信する（ステップ４−１１）。
【００３８】
「運用開始通知」メッセージには、ＩＰ内線端末２を特定するための情報として、ＩＰ内線端末２のＭＡＣアドレスを設定しておく。構内交換機１側では、登録済みのＩＰ内線端末２からの「運用開始通知」メッセージを受信する（ステップ４−１２）と、運用データ１０５中に記録されているＩＰ内線端末２毎の個別情報テーブルを検索し、「運用開始通知」メッセージにて通知されたＩＰ内線端末２のＭＡＣアドレスと一致するものがあれば、当該ＩＰ内線端末２を動作可能と判断し、ＩＰ内線端末２を「運用中」とみなし（ステップ４−１３）、以降は構内交換機１のＩＰ内線端末２としての運用が可能となる。以上で、登録の処理が終了する。
【００３９】
（実施の形態２）
次に、本発明の実施の形態２について説明する。なお、システムの構成等は実施の形態１の場合と同様である。図１２は、本発明の第２の実施の形態における、ＩＰアドレスの自動更新のフローチャートである。以下に、実施の形態２の構内交換機システムにおいて、登録済みのＩＰ内線端末２の設定を変更する操作の際の具体的な動作について、図１２のフローチャートを元に説明する。尚、説明に際しては、ＩＰ内線端末２のＩＰアドレスを変更する場合を例にとるものとする。
【００４０】
ステップ１２−１では、操作者が、まずＩＰ内線端末２の入力手段２０２を使用し、運用管理部２０４からの指示に基づき、ユーザーＩ／Ｆ制御部２０３によって表示手段２０１に表示されるガイダンスに従って、ＩＰ内線端末２自身の新たなＩＰアドレスを入力する。入力手段２０２によって入力された新規ＩＰアドレスは、ユーザーＩ／Ｆ制御部２０３を介して、データ管理部２０７により、運用データ２０８中の図５で示すようなＩＰ内線端末２の個別情報中のＩＰアドレスデータに上書きされる（ステップ１２−２）。
【００４１】
さらに、運用管理部２０４は、データ管理部２０７により、ＩＰアドレスが変更されたことを通知され、設定変更を反映させるためにＩＰ内線端末２の再起動処理を行う（ステップ１２−３）。
【００４２】
再起動処理では、ＩＰ内線端末２の動作を司るプログラムが先頭から実行され、運用管理部２０４は、運用データ２０８から必要なデータをデータ管理部２０７を介して読み出し、参照しながらＩＰ内線端末２の動作のために必要な内部の設定やデバイスの起動などを行う。
【００４３】
再起動後、新しいＩＰアドレスが設定された状態のＩＰ内線端末２が起動する（ステップ１２−４）と、運用管理部２０４は、ＩＰ通信制御部２０６を介して図１２のような「起動通知」メッセージを、登録されている構内交換機１のＩＰアドレスに宛ててユニキャスト送信する（ステップ１２−５）。
【００４４】
構内交換機１では、ＩＰ通信制御部１０３が端末からのメッセージを受信し、運用管理部１０１に通知する。運用管理部１０１で、メッセージの内容を解析して、「起動通知」メッセージと判断すると、運用管理部１０１が送り元の端末のＭＡＣアドレス及びＩＰア
ドレスを同メッセージ中から読み出す（ステップ１２−６）。
【００４５】
さらに、取得したＭＡＣアドレスをキーとして、データ管理部１０４を介して、運用データ１０５の中に格納されているＩＰ内線端末２の個別情報の登録データ中に記録されているＭＡＣアドレスとの一致検索を行う（ステップ１２−７）。
【００４６】
検索の結果、登録されているＭＡＣアドレスの中に一致するものがなければ、未登録のＩＰ内線端末２からの不正なメッセージと判断して、メッセージを破棄し処理を終了する（ステップ１２−８）。
【００４７】
登録されているＭＡＣアドレスに該当するものがあった場合には、該当する端末のデータのＩＰアドレスの情報と、「起動通知」メッセージ中のＩＰアドレスの情報とを比較する（ステップ１２−９）。
【００４８】
両者のＩＰアドレスの値が一致すれば、登録済みＩＰ内線端末２が通常の起動を行ったものとして、そのまま「起動通知」に対する応答を返し（ステップ１２−１０）、そのＩＰ内線端末２は通常の動作状態となる。
【００４９】
ＩＰアドレスが、現在登録されているものと異なっていた場合は、運用管理部１０１は、登録済みＩＰ内線端末２のＩＰアドレスが変更されたものと判断し、データ管理部１０４を介して、運用データ１０５中の当該ＩＰ内線端末２のＩＰアドレス情報を、「起動通知」メッセージから取得したＩＰアドレスに変更して書き込みを行い（ステップ１２−１１）、ＩＰ内線端末２側に「起動通知」メッセージの応答を返す。これにより、当該ＩＰ内線端末２は新たなＩＰアドレスで構内交換機１に認識されて、通常の動作状態となる。
【産業上の利用可能性】
【００５０】
本発明は、ＩＰネットワークに接続する内線端末を収容する構内交換機に関し、特にこの構内交換機に対してＩＰ内線端末を登録するための登録方式、及び登録済みの端末の設定内容の更新方法に関するものである。本発明によれば、ＩＰ内線端末毎に登録を行う場合に比べて、作業量を削減できることができる、という利点がある。さらに、ＩＰ内線端末を構内交換機に登録する際の操作及び登録済みＩＰ内線端末の設定変更に伴う操作を簡便にし、操作者の負荷を削減することができる、という利点がある。
【図面の簡単な説明】
【００５１】
【図１】本発明の実施の形態１における構内交換機のブロック図
【図２】図１のＩＰ内線端末のブロック図
【図３】図１のマスタ端末とＩＰ内線端末との間のデータ交換のフローチャート
【図４】図１のマスタ端末の登録処理のフローチャート
【図５】図２の運用データ中の記録フォーマットの例を示す図
【図６】共通データ配信メッセージのフォーマットの例を示す図
【図７】図２の運用データにおける共通情報の初期状態の例を示す図
【図８】図２の運用データにおける共通情報にマスタ端末からの情報設定を示す図
【図９】端末情報通知メッセージのフォーマットの例を示す図
【図１０】マスタ端末が持つ、ＩＰ内線端末毎の個別情報を登録するテーブルのフォーマット例を示す図
【図１１】「起動通知」メッセージのフォーマット例を示す図
【図１２】本発明の第２の実施の形態における、ＩＰアドレスの自動更新のフローチャート
【符号の説明】
【００５２】
１    構内交換機
２    ＩＰ内線端末
３    ＬＡＮ
１０１    運用管理部
１０２    回線制御部
１０３    ＩＰ通信制御部
１０４    データ管理部
１０５    運用データ
２０１    表示手段
２０２    入力手段
２０３    ユーザーＩ／Ｆ制御部
２０４    運用管理部
２０５    回線制御部
２０６    ＩＰ通信制御部
２０７    データ管理部
２０８    運用データ
【図１】
2006005519.tif 000003
【図２】
2006005519.tif 000004
【図３】
2006005519.tif 000005
【図４】
2006005519.tif 000006
【図５】
2006005519.tif 000007
【図６】
2006005519.tif 000008
【図７】
2006005519.tif 000009
【図８】
2006005519.tif 000010
【図９】
2006005519.tif 000011
【図１０】
2006005519.tif 000012
【図１１】
2006005519.tif 000013
【図１２】
2006005519.tif 000014